(57)【要約】【課題】外観の劣化がなく、配光の乱れおよび灯具自体の光量の低下がなく、充分にクリヤランスランプ機能を奏することができること。【解決手段】リフレクタ６の前部開口端６ａの外周に沿う空間部Ｇが、リフレクタ６の外側の灯室４内に設けた間接照明光源１４により間接照明されている。これによりクリヤランスランプ機能を奏することができる。間接照明光源１４は、リフレクタ６で遮られて外部から視認することができないので、見栄えを向上させることができる。リフレクタ６は、光源バルブ５の設置箇所を除いてその反射面の全面を有効反射面とすることができるので、光源バルブ５の配光の乱れおよび灯具１全体の光量の低下を伴うことがない。【選択図】　　　図３
2004111075.tif 000002
【特許請求の範囲】
【請求項１】
ランプハウジングとその前面に配設された前面レンズとにより灯室が画成されており、この灯室内に光源バルブとこの光源バルブの光を前記前面レンズ方向に反射するリフレクタとを少なくとも備えて構成される車両用灯具であって、
前記リフレクタの前部開口端の外周に沿う空間部が、前記リフレクタの外側の前記灯室内に設けた間接照明光源により間接照明されていることを特徴とする車両用灯具。
【請求項２】
請求項１記載の車両用灯具であって、
前記空間部は、前記リフレクタと前記ランプハウジングとの間に形成されており、かつ前記リフレクタおよびランプハウジングの相互に対向する対向面は、反射付与処理されていることを特徴とする車両用灯具。
【請求項３】
請求項１記載の車両用灯具であって、
前記空間部は、前記リフレクタと、前記リフレクタとランプハウジングの間に設けられたインナパネルとの間に形成されており、かつ前記リフレクタおよびインナパネルの相互に対向する対向面は、反射付与処理されていることを特徴とする車両用灯具。
【請求項４】
請求項１記載の車両用灯具であって、
前記空間部は、前記リフレクタと前記ランプハウジングとの間に形成されており、かつ前記リフレクタの前記ランプハウジングに対する対向面は、反射付与処理されると共に、前記ランプハウジングは反射機能を備えた樹脂材で形成されていることを特徴とする車両用灯具。
【請求項５】
請求項１記載の車両用灯具であって、
前記空間部は、前記リフレクタと、前記リフレクタとランプハウジングの間に設けられたインナパネルとの間に形成されており、かつ前記リフレクタの前記インナパネルに対する対向面は、反射付与処理されると共に、前記インナパネルは反射機能を備えた樹脂材で形成されていることを特徴とする車両用灯具。
【請求項６】
請求項１〜５のいずれか１項に記載の車両用灯具であって、前記ランプハウジングは、前記前面レンズで覆われる前面開口部の下部を上部より前方へ出っ張らせたスラント構造を有して形成されていることを特徴とする車両用灯具。
【請求項７】
請求項１〜６のいずれか１項に記載の車両用灯具であって、前記間接照明光源は、発光ダイオードで構成されていることを特徴とする車両用灯具。
【発明の詳細な説明】
【０００１】
【発明の属する技術分野】
本発明は、例えばクリヤランスランプ機能が組み込まれたヘッドランプとして適用される車両用灯具に関する。
【０００２】
【従来の技術】
図６は、従来の車両用灯具１００を示す。この車両用灯具１００は、ランプハウジング２とその前面に配設された前面レンズ３とにより灯室４が画成されており、この灯室４内に光源バルブ５とこの光源バルブ５の光を前面レンズ３方向に反射するリフレクタ６とを少なくとも備えて構成されている（例えば、特許文献１参照）。
【０００３】
光源バルブ５は、ヘッドランプバルブを構成しており、リフレクタ６の略中央部に取着されており、リフレクタ６は、図示しない１個の回動支点部と２個の間隔調整部とによりランプハウジング２に傾動自在に支持されている。
【０００４】
また、クリヤランスランプ７は、ランプハウジング２に取着されると共に、その発光部７ａをリフレクタ６の挿通孔８を通してリフレクタ６の反射内部に位置させて取着されている。クリヤランスランプ７には目隠し部材９が一体に形成されており、この目隠し部材９が前面レンズ３と挿通孔８との間に位置することにより非点灯時に前面レンズ３を通してクリヤランスランプ７と挿通孔８とが見えることがない。
【０００５】
また、クリヤランスランプ７の点灯時には、発光部７ａから照射され目隠し部材９の反射面９ａにより反射された光は、リフレクタ６の全体に照射されてリフレクタ６の全体が発光することにより、クリヤランスランプ機能を奏することができる。
【０００６】
【特許文献１】
特開平１０−１１６５０３号公報（明細書段落番号〔００１１〕〜〔００２３〕、図２）
【０００７】
【発明が解決しようとする課題】
しかしながら、車両用灯具１００にあっては、リフレクタ６にクリヤランスランプ７を配置させるための挿通孔８および目隠し部材９が設けられており、さらにこの挿通孔８はリフレクタ６を傾動させたときにクリヤランスランプ７に接触しないように径が大きなものとされている。このため車両用灯具１００は、光源バルブ５から照射される光が挿通孔８および目隠し部材９により配光を乱し、かつ灯具自体の光量を低下させるものとなってしまう、という課題を有している。
【０００８】
そこで、本発明は、外観の劣化を伴うことなく、光源バルブの配光および灯具自体の光量を何等阻害することなく、かつ充分にクリヤランスランプ機能を奏することができる車両用灯具を提供することを目的とする。
【０００９】
【課題を解決するための手段】
前記した目的を達成するため、請求項１記載の発明は、ランプハウジングとその前面に配設された前面レンズとにより灯室が画成されており、この灯室内に光源バルブとこの光源バルブの光を前記前面レンズ方向に反射するリフレクタとを少なくとも備えて構成される車両用灯具であって、
前記リフレクタの前部開口端の外周に沿う空間部が、前記リフレクタの外側の前記灯室内に設けた間接照明光源により間接照明されていることを特徴とする。
【００１０】
このため、請求項１記載の発明では、間接照明光源の点灯により、リフレクタの前部開口端の外周に沿う空間部が間接照明されることによりクリヤランスランプ機能を奏することができる。
【００１１】
また、間接照明光源は、リフレクタの外側の灯室内に設けられるものであるから、リフレクタで遮られて外部から視認することができないものとなっており、かつリフレクタは、光源バルブの設置箇所を除いてその反射面の全面を有効反射面とすることができると共に、前記光源バルブの光を前記間接照明光源との干渉を避けて前面レンズ方向に反射させることができる。
【００１２】
また、請求項２記載の発明は、請求項１記載の車両用灯具であって、
前記空間部は、前記リフレクタと前記ランプハウジングとの間に形成されており、かつ前記リフレクタおよびランプハウジングの相互に対向する対向面は、反射付与処理されていることを特徴とする。
【００１３】
このため、請求項２記載の発明では、間接照明光源の光は、リフレクタおよびランプハウジングの相互に対向する対向面間で反射が繰り返されて空間部に導光され、これによって該空間部を照明することができる。
【００１４】
また、請求項３記載の発明は、請求項１記載の車両用灯具であって、
前記空間部は、前記リフレクタと、前記リフレクタとランプハウジングの間に設けられたインナパネルとの間に形成されており、かつ前記リフレクタおよびインナパネルの相互に対向する対向面は、反射付与処理されていることを特徴とする。
【００１５】
このため、請求項３記載の発明では、間接照明光源の光は、リフレクタおよびインナパネルの相互に対向する対向面間で反射が繰り返されて空間部に導光され、これによって該空間部を照明することができる。
【００１６】
また、請求項４記載の発明は、請求項１記載の車両用灯具であって、
前記空間部は、前記リフレクタと前記ランプハウジングとの間に形成されており、かつ前記リフレクタの前記ランプハウジングに対する対向面は、反射付与処理されると共に、前記ランプハウジングは反射機能を備えた樹脂材で形成されていることを特徴とする。
【００１７】
このため、請求項４記載の発明では、間接照明光源の光は、リフレクタおよびランプハウジングの相互に対向する対向面間で反射が繰り返されて空間部に導光され、これによって該空間部を照明することができる。
【００１８】
このとき、ランプハウジングは、反射機能を備えた樹脂材で形成されるので、形成後の反射付与処理工程が不要となる。
【００１９】
また、請求項５記載の発明は、請求項１記載の車両用灯具であって、
前記空間部は、前記リフレクタと、前記リフレクタとランプハウジングの間に設けられたインナパネルとの間に形成されており、かつ前記リフレクタの前記インナパネルに対する対向面は、反射付与処理されると共に、前記インナパネルは反射機能を備えた樹脂材で形成されていることを特徴とする。
【００２０】
このため、請求項５記載の発明では、間接照明光源の光は、リフレクタおよびインナパネルの相互に対向する対向面間で反射が繰り返されて空間部に導光され、これによって該空間部を照明することができる。
【００２１】
このとき、インナパネルは、反射機能を備えた樹脂材で形成されるので、形成後の反射付与処理工程が不要となる。
【００２２】
また、請求項６記載の発明は、請求項１〜５のいずれか１項に記載の車両用灯具であって、
前記ランプハウジングは、前記前面レンズで覆われる前面開口部の下部を上部より前方へ出っ張らせたスラント構造を有して形成されていることを特徴とする。
【００２３】
このため、請求項６記載の発明では、ランプハウジングの前面開口部を広くすることができ、その広くした分、間接照明される空間部も大きくすることができる。
【００２４】
また、請求項７記載の発明は、請求項１〜６のいずれか１項に記載の車両用灯具であって、
前記間接照明光源は、発光ダイオードで構成されていることを特徴とする。
【００２５】
このため、請求項７記載の発明では、間接照明時の発熱量を極力抑制することができると共に、間接照明される空間部を発光ダイオードが発する着色光により適宜着色照明することができる。
【００２６】
そして発光ダイオードは、光源自体小型であるので、取付に要するスペースを節約することができる。
【００２７】
【発明の実施の形態】
以下、本発明の実施の形態を図面に基づいて説明する。
【００２８】
図１〜図３は、本発明の第１実施形態としての車両用灯具１を示す。この車両用灯具１は、ランプハウジング２とその前面に配設された前面レンズ３とにより灯室４が画成されており、この灯室４内に光源バルブ５とこの光源バルブ５の光を前面レンズ３方向に反射するリフレクタ６とを少なくとも備えて大略構成されている。車両用灯具１は、光源バルブ５がヘッドランプを構成しており、他にフロントターンランプ１２とこのランプ１２の光を前面レンズ３方向に反射するターンランプ用リフレクタ１３を備えて全体が構成されている。光源バルブ５およびフロントターンランプ１２は、図１中、その中心部位のみを示す。
【００２９】
さらに車両用灯具１は、リフレクタ６の前部開口端６ａの外周に沿う空間部Ｇ（図１中、斜線を付して示した）が、リフレクタ６の外側の灯室４内に設けた間接照明光源１４（図３参照）により間接照明されるように構成されている。間接照明光源１４は、図１中、その中心部位のみを示す。
【００３０】
なお、図１〜図３中、符号１０はシェードであり、符号１１は左右エイミング機構であり、符号１５はフードであり、符号１６はバンパーであり、符号Ａは左右エイミング作用点であり、符号Ｂは上下エイミング作用点であり、符号Ｃはエイミング支点である。
【００３１】
本実施形態では、ランプハウジング２は、リフレクタ６を包含する凹部分２ｆと、一体に形成されたターンランプ用リフレクタ１３とを有して形成されており、灯室４は、ランプハウジング２の前面を覆うように取り付けられた前面レンズ３と、ランプハウジング２の凹部分２ｆとの間に形成されている。そしてランプハウジング２の凹部分２ｆ内に装着されるリフレクタ６／光源バルブ５、およびリフレクタ１３／フロントターンランプ１２は、それぞれヘッドランプ、およびシグナルランプを構成している。
【００３２】
また、間接照明光源１４は、クリヤランスランプ（従来のクリヤランスランプ７に相当する）で構成されており、リフレクタ６の外側の灯室４内に設けられている。具体的には、間接照明光源１４は、図１に示すように、光源バルブ５の右斜め下の部位に対応するリフレクタ６の裏面に発光部１４ａを対向させてランプハウジング２の凹部分２ｆに取り付けられている（図３参照）。
【００３３】
さらに、空間部Ｇは、リフレクタ６とランプハウジング２の凹部分２ｆとの間隙であって、間接照明光源１４の発光部１４ａの存する間隙Ｇ１（図３参照）に連続する間隙として形成されるものであって、リフレクタ６の前部開口端６ａの外周に沿って形成されている。
【００３４】
このように構成された車両用灯具１は、間接照明光源１４の点灯により、リフレクタ６の前部開口端６ａの外周に沿う空間部Ｇが間接照明されることにより充分にクリヤランスランプ機能を奏することができる。
【００３５】
また、間接照明光源１４は、リフレクタ６の外側（裏側）の灯室４内に設けられるものであるから、リフレクタ６で遮られて外部から視認することができないものとなっており、これにより見栄えを向上させることができる。
【００３６】
また、リフレクタ６は、光源バルブ５の設置箇所を除いてその反射面の全面を有効反射面とすることができると共に、光源バルブ５の光を、何等の障害物で遮られることもなく前面レンズ３方向に反射させることができるので、光源バルブ５の配光の乱れおよび灯具１全体の光量の低下を伴うことなく、それ等を最大限に発揮することができる。
【００３７】
また好ましくは、空間部Ｇを構成するリフレクタ６およびランプハウジング２の相互に対向する対向面は、反射付与処理されて形成される。この反射付与処理は、例えば、対象となる対向面にアルミニウム蒸着、あるいは銀色塗装等を施すことによって行われる。このときの対向面は、リフレクタ６の外側面（裏面）、およびランプハウジング２の灯室４側の内側面である。リフレクタ６の外側面の反射付与処理は、リフレクタ６の内側面の反射付与処理工程で同時に実行することができる。
【００３８】
この構成では、間接照明光源１４の光Ｌは、図３に示すように、リフレクタ６およびランプハウジング２の相互に対向する対向面間で反射が効率よく繰り返されて、リフレクタ６の前部開口端６ａに沿う空間部Ｇに導光され、これによって空間部Ｇを効率よく照明することができる。
【００３９】
さらに好ましくは、ランプハウジング２は、反射機能を備えた樹脂材で形成される。この樹脂材は、例えば、ポリプロピレン等の樹脂に、例えばアルミニウム等の金属片状粉や光沢粒子等の光沢材を含有してなる樹脂材である。具体的には、ポリプロピレン樹脂に、アルミニウムからなる金属片状粉を１重量％含有させることにより、装飾機能および反射機能を奏することができる樹脂材を得ることができる。
【００４０】
この構成では、ランプハウジング２は、反射機能を備えた樹脂材で形成されるので、形成後の反射付与処理工程が不要となり、これにより製造工程の簡略化を図ることができる。
【００４１】
またさらに好ましくは、ランプハウジング２の凹部分２ｆは、図２および図３に示すように、その前面部の下部２ａを上部２ｂより前方へ出っ張らせたスラント構造を有して形成される。
【００４２】
この構成では、ランプハウジング２の凹部分２ｆの前面開口部を広くすることができ、その広くした分、間接照明される空間部Ｇも大きくすることができるので、一層効果的なクリヤランスランプ機能を奏することができる。
【００４３】
このとき、ランプハウジング２の下部２ａに、リフレクタ６と重複しない部分２ｃの幅を広く確保すると共に、その上部２ｂに、空間部Ｇの幅が開口端６ａに向かって漸大するテーパ部２ｄを形成することにより、照明時の空間部Ｇの幅が拡大し、これによりクリヤランスランプ機能を一層強調することができる。なお、図２および図３中、リフレクタ６の前部開口端６ａ付近に記載された２点鎖線は、エイミング時のリフレクタ６の軌跡を示す。
【００４４】
図４は、本発明の第２実施形態としての車両用灯具２０を示す。この車両用灯具２０は、空間部Ｇの構成が異なるだけで、他の構成は前述した車両用灯具１と同様に構成されている。このため同一構成要素は、同一符号を付してその説明を省略する。
【００４５】
本実施形態では、空間部Ｇは、リフレクタ６と、リフレクタ６とランプハウジング２の間に設けられたインナパネル１７との間に形成されており、かつリフレクタ６およびインナパネル１７の相互に対向する対向面は、反射付与処理されている。このとき好ましくはランプハウジング２は、少なくともインナパネル１７と重複しない部分でリフレクタ６に対向する内側面に反射付与処理を施す。このインナパネル１７は、エクステンションとも云う。
【００４６】
このように構成された車両用灯具２０においては、間接照明光源１４の光Ｌは、図４に示すように、リフレクタ６およびランプハウジング２の相互に対向する対向面間、およびリフレクタ６およびインナパネル１７の相互に対向する対向面間で反射が効率よく繰り返されて、リフレクタ６の前部開口端６ａに沿う空間部Ｇに導光され、これによって空間部Ｇを効率よく照明することができるので、前述した車両用灯具１と同様な作用効果を奏することができる。
【００４７】
その上、車両用灯具２０では、ランプハウジング２の開口部の形状とは無関係に、インナパネル１７とリフレクタ６により空間部Ｇを自由に設計することができるので、設計自由度の拡大を図ることができる。
【００４８】
また、好ましくは、インナパネル１７およびランプハウジング２は、反射機能を備えた樹脂材で形成することができる。
【００４９】
この構成では、インナパネル１７およびランプハウジング２は、反射機能を備えた樹脂材で形成されるので、形成後の反射付与処理工程が不要となり、これにより製造工程の簡略化を図ることができる。
【００５０】
図５は、本発明の第３実施形態としての車両用灯具３０を示す。この車両用灯具３０は、間接照明光源１４が異なるだけで、他の構成は前述した車両用灯具１と同様に構成されている。このため同一構成要素は、同一符号を付してその説明を省略する。
【００５１】
本実施形態では、間接照明光源１４は、発光ダイオードで構成されている。
【００５２】
このように構成された車両用灯具３０においては、間接照明光源１４の光Ｌは、図５に示すように、リフレクタ６およびランプハウジング２の相互に対向する対向面間で反射が繰り返されて、リフレクタ６の前部開口端６ａに沿う空間部Ｇに導光され、これによって空間部Ｇを効率よく照明することができるので、前述した車両用灯具１と同様な作用効果を奏することができる。
【００５３】
その上、この車両用灯具３０では、間接照明光源１４を発光ダイオードで構成したので、間接照明時の発熱量を極力抑制することができると共に、間接照明される空間部Ｇを発光ダイオードが発する着色光により適宜着色照明させることができる。このため車両用灯具３０は、発熱量の抑制により灯具寿命の向上を図ることができると共に、着色照明によるデザイン自由度の拡大を図ることができる。
【００５４】
さらには発光ダイオードは、光源自体小型であるので、取付に要するスペースを節約することができ、これにより灯具全体のコンパクト化を図ることができる。
【００５５】
また、この第３実施形態の間接照明光源１４を構成する発光ダイオードを、第２実施形態の車両用灯具２０にも適用できることは勿論であり、この場合、車両用灯具２０の作用効果に加えて、第３実施形態の作用効果も奏することができる。
【００５６】
【発明の効果】
以上、詳述したように、請求項１記載の発明によれば、間接照明光源の点灯により、リフレクタの前部開口端の外周に沿う空間部が間接照明されることにより充分にクリヤランスランプ機能を奏することができる。
【００５７】
また、間接照明光源をリフレクタの外側に位置させて、リフレクタの反射面を、光源バルブの設置箇所を除いてその全面を有効反射面としたので、外観の劣化を伴うことなく、光源バルブの配光および灯具全体の光量を何等阻害することなく、それ等を最大限に発揮することができる。
【００５８】
また、請求項２記載の発明によれば、間接照明光源の光は、リフレクタおよびランプハウジングの反射付与処理を施した対向面間で反射が繰り返されて空間部に導光され、これによって該空間部を照明することができるので、請求項１記載の発明の効果に加えて、空間部を一層効率よく照明することができる。
【００５９】
また、請求項３記載の発明によれば、間接照明光源の光は、リフレクタおよびインナパネルの反射付与処理を施した対向面間で反射が繰り返されて空間部に導光され、これによって該空間部を照明することができ、請求項１記載の発明の効果に加えて、空間部を一層効率よく照明することができる。
【００６０】
その上、間接照明される空間部は、ランプハウジングの開口部の形状とは無関係に、インナパネルとリフレクタにより自由に設計することができるので、設計自由度の拡大を図ることができる。
【００６１】
また、請求項４記載の発明によれば、間接照明光源の光は、リフレクタの反射付与処理を施した外側面および反射機能を備えた樹脂材で形成されたランプハウジングの内側面との間で反射が繰り返されて空間部に導光され、これによって該空間部を照明することができるので、請求項１記載の発明の効果に加えて、空間部を一層効率よく照明することができる。
【００６２】
その上、ランプハウジングは、反射機能を備えた樹脂材で形成されるので、形成後の反射付与処理工程が不要となり、その分製造工程の簡略化が図れる。
【００６３】
また、請求項５記載の発明によれば、間接照明光源の光は、リフレクタの反射付与処理を施した外側面および反射機能を備えた樹脂材で形成されたインナパネルの内側面との間で反射が繰り返されて空間部に導光され、これによって該空間部を照明することができるので、請求項１記載の発明の効果に加えて、空間部を一層効率よく照明することができる。
【００６４】
また、請求項６記載の発明によれば、ランプハウジングの前面開口部を広くすることができ、その広くした分、間接照明によって照明される空間部も大きくすることができ、これにより請求項１〜５のいずれか１項の発明の効果に加えて、クリヤランスランプ機能を一層強調して一層の安全を図ることができる。
【００６５】
また、請求項７記載の発明によれば、間接照明光源を発光ダイオードで構成したので、間接照明時の発熱量を極力抑制することができると共に、間接照明される空間部を発光ダイオードが発する着色光により適宜着色照明することができ、これにより請求項１〜６のいずれか１項の発明の効果に加えて、灯具寿命の向上およびデザイン自由度の拡大を共に図ることができる。
【図面の簡単な説明】
【図１】本発明の第１実施形態としての車両用灯具の概略正面図である。
【図２】図１のＩＩ−ＩＩ線に沿う断面図である。
【図３】図１のＩＩＩ−ＩＩＩ線に沿う断面図である。
【図４】本発明の第２実施形態としての車両用灯具で、図１のＩＩＩ−ＩＩＩ線に対応する線に沿う断面図である。
【図５】本発明の第３実施形態としての車両用灯具で、図１のＩＩＩ−ＩＩＩ線に対応する線に沿う断面図である。
【図６】従来の車両用灯具の断面図である。
【符号の説明】
１、２０、３０　車両用灯具
２　ランプハウジング
２ａ　下部（ランプハウジングの）
２ｂ　上部（ランプハウジングの）
３　前面レンズ
４　灯室
５　光源バルブ
６　リフレクタ
６ａ　前部開口端
１４　間接照明光源
１７　インナパネル
Ｇ　空間部
【図１】
2004111075.tif 000003
【図２】
2004111075.tif 000004
【図３】
2004111075.tif 000005
【図４】
2004111075.tif 000006
【図５】
2004111075.tif 000007
【図６】
2004111075.tif 000008